(57)【要約】【課題】温度変化による画質の低下を防ぐことができる液晶表示装置用電源回路を提供する。【解決手段】第１の電源回路１００において、可変抵抗である抵抗１０１，１０２、温度の変化に伴って電気抵抗が変化するサーミスタ１０３および電圧を選択可能なスイッチであるセレクタ１５を適宜選択設定することにより、オペアンプ１１の非反転入力端子に、電源装置の出力電圧ＶＲＥＦと異なる温度特性を有する電圧ＶＲＥＦ２が入力される。オペアンプ１１の出力端子からは、温度変化に対する変化の割合が、第２の電源回路２０が出力する電圧ＶＣＯＭＨと第３の電源回路３０が出力する電圧ＶＣＯＭＬとの平均値である電圧ＶＣＯＭＣと等しい電圧ＶＳ２がオペアンプ１４を介してデータドライバ回路５０に出力される。【選択図】図１
2007232981.tif 000002
【特許請求の範囲】
【請求項１】
液晶表示パネルに駆動電圧を供給する液晶表示装置用電源回路であって、
基準電圧にもとづいて駆動電圧を生成する駆動電圧生成部と、
温度補償した基準電圧を前記駆動電圧生成部に供給する基準電圧補償部とを備えた
ことを特徴とする液晶表示装置用電源回路。
【請求項２】
第１駆動電圧が供給される第１電極と第２駆動電圧が供給される第２電極との間に液晶を挟持される液晶表示装置に適用される液晶表示装置用電源回路であって、
駆動電圧生成部は、第１駆動電圧を生成する増幅器を含み、
基準電圧補償部は、第２駆動電圧の温度特性に応じた温度特性を有する基準電圧を出力する温度補償抵抗回路を含む
請求項１記載の液晶表示装置用電源回路。
【発明の詳細な説明】
【技術分野】
【０００１】
本発明は、液晶表示装置用電源回路に関し、特に、アクティブ素子を用いた液晶表示装置に適用される液晶表示装置用電源回路に関する。
【背景技術】
【０００２】
ＴＦＴ（Thin Film Transistor）を用いた液晶表示装置（以下、ＴＦＴ液晶表示装置と記す。）では、画素毎に画素電極およびＴＦＴが設けられる。また、各画素電極に対向するように１枚のコモン電極が設けられ、コモン電極と各画素電極との間に液晶が配置される。画素電極は、ＴＦＴのドレインに接続される。また、ＴＦＴのソースはソース配線に接続され、ＴＦＴのゲートはゲート配線に接続される。ゲート配線を介してゲートにある所定の電位（オン電位）が設定されると、ソースとドレインとの間が導通状態となり、画素電極がソース配線と等しい電位に設定される。ゲートの電位がオン電位より低い所定の電位（オフ電位）に設定されると、ソースとドレインとの間が非導通状態となり、ソース配線と画素電極の間も非導通状態に切り替えられる。
【０００３】
各画素（画素電極およびＴＦＴ）は、例えばマトリクス状に配置され、各ゲート配線が行毎に、１行におけるそれぞれのＴＦＴのゲートに接続される。そして、各ソース配線が列毎に、１列におけるそれぞれのＴＦＴのソースに接続される。ＴＦＴ液晶表示装置で画像を表示する場合には、ゲート配線を順次選択しながら走査し、選択したゲート配線の電位を設定する。あるゲート配線を選択している期間中、選択したゲート配線に対応する１行分の各画素の画像データに応じて、各ソース配線の電位を設定する。この結果、選択したゲート配線に対応する１行分の各画素電極と、コモン電極との間に、画像データに応じた電圧が印加される。以降、同様にゲート配線を順次選択していくことにより、１画面（フレーム）分の画像が表示される。
【０００４】
液晶表示装置を直流電圧で駆動すると寿命が短くなる等の理由で、一般に、液晶表示装置を駆動する駆動方法として交流駆動が用いられる。交流駆動には、１フレーム毎に液晶への印加電圧の極性を反転させるフレーム反転駆動や、走査されるゲート配線が切り替わる毎に印加電圧の正負極性を反転させるライン反転駆動などがある。また、垂直・水平方向に隣り合う画素毎に印加電圧の正負極性を反転させるドット反転駆動方式も知られている。
【０００５】
携帯型電子機器の普及に伴い、携帯型電子機器に搭載される液晶表示装置の画質の向上や、低消費電力化が望まれている。ライン反転駆動は、携帯電話機等の携帯型電子機器の表示部として設けられるＴＦＴ液晶表示装置に一般的に用いられている。ライン反転駆動では、極性を反転させる際に、画素電極の極性を反転させるとともに、コモン電極の極性も反転させ、かつ、画素電極の極性とコモン電極の極性とが逆になるように駆動することが一般的である。そのため、画素電極とコモン電極のそれぞれの振幅を小さくすることができ、消費電力を小さくすることができる。
【０００６】
なお、４５Ｈｚ以下の低周波駆動を行ってもフリッカが視認されない、低消費電力で且つ、高品位の表示が可能な液晶表示装置が提供されている（例えば、特許文献１）。特許文献１に記載された液晶表示装置は、ＴＦＴおよび反射電極を千鳥状に配列することにより、ライン反転駆動用の回路構成でドット反転駆動を行うことができることから、低周波駆動を行ってもフリッカが視認されない。
【０００７】
【特許文献１】特開２００３−３１５７６６号公報（段落００７４−００８１）
【発明の開示】
【発明が解決しようとする課題】
【０００８】
ＴＦＴ液晶表示装置では、ＴＦＴのゲート・ソース間の容量や補助容量のために、ゲート配線の走査やコモン電極の極性の反転により、画素電極の電圧が変化する。ライン反転駆動の場合、画素電極の電圧が変化すると、振り筋と呼んでいる現象により画質が低下する。振り筋とは、液晶表示装置が動いたり、観察者の視点が動いたりしたときに、横方向の筋が観察されてしまう現象である。
【０００９】
このような問題を解決するために、ＴＦＴの寄生容量を考慮して、画素電極の電圧を設定するためのソース配線の電圧と、コモン電極の電圧（コモン電圧）の調整を行う。
【００１０】
なお、ソース配線に設定される電位のうち最大の電位（以下、ソース電圧と記す。）をＶＳとする。また、ソース配線の電圧がコモン電極の電圧以上となるように駆動されている状態を正極性と呼ぶことにし、ソース配線の電圧がコモン電極の電圧以下となるように駆動されている状態を負極性と呼ぶことにする。コモン電極の電圧は、正極性のときにはＶＣＯＭＬに設定され、負極性のときにはＶＣＯＭＨに設定される。したがって、ＶＣＯＭＬ＜ＶＣＯＭＨの関係が成立する。
【００１１】
各電圧ＶＳ，ＶＣＯＭＨおよびＶＣＯＭＬは、温度やノイズの影響を受けないように構成された基準電圧ＶＲＥＦをもとに生成される。基準電圧ＶＲＥＦは、電源電圧から生成される。ＶＳ，ＶＣＯＭＨ，ＶＣＯＭＬの出力部としてそれぞれ演算増幅器（以下、オペアンプと記す。）が設けられる。
【００１２】
図３は、電圧ＶＳおよびＶＣＯＭＨを生成するオペアンプの構成例を示す説明図である。図３に示す例では、オペアンプ９０１は、基準電圧ＶＲＥＦを入力し、電圧ＶＯを出力する。電圧ＶＯとして、電圧ＶＳまたはＶＣＯＭＨが出力される。図３には、オペアンプ９０１が非反転増幅回路であって、出力が入力の（１＋Ｒｆ／Ｒｓ）倍になる場合が例示されている。
【００１３】
図４は、電圧ＶＣＯＭＬを生成するオペアンプの構成例を示す説明図である。図４に示す例では、オペアンプ９０２は、基準電圧ＶＲＥＦを入力し、電圧ＶＯを出力する。電圧ＶＯとして、電圧ＶＣＯＭＬが出力される。図４には、オペアンプ９０２が反転増幅回路であって、出力が入力の（−Ｒｆ／Ｒｓ）倍になる場合が例示されている。
【００１４】
なお、電圧ＶＳおよびＶＣＯＭＨには、一般に正の値が設定されるが、電圧ＶＣＯＭＬには、負の値が設定される。
【００１５】
図５は、一般的な液晶表示装置用電源回路を、液晶表示装置（液晶表示パネル）と、液晶表示装置を駆動する駆動回路とともに示すブロック図である。液晶表示装置には、画素毎に、ＴＦＴ１と画素電極２が設けられる。また、各画素電極２と対向するコモン電極３が設けられ、コモン電極３と各画素電極２とによって液晶層４が挟持される。画素電極２には、寄生容量を緩和するための補助容量５が設けられ、液晶層４と並列に接続される。ＴＦＴ１のゲート１ａは、ゲート配線７に接続される。各行毎に設けられる複数のゲート配線７は、それぞれゲートドライバ回路６に接続される。ＴＦＴ１のソース１ｃは、ソース配線９に接続される。各列毎に設けられる複数のソース配線９は、それぞれデータドライバ回路８に接続される。
【００１６】
次に、一般的な液晶表示装置用電源回路の構成について説明する。図５に示す例では、ソース電圧ＶＳを生成するための電圧をデータドライバ回路８に供給する第１の電源回路１０、コモン電極３に電圧ＶＣＯＭＨを供給する第２の電源回路２０、コモン電極３に電圧ＶＣＯＭＬを供給する第３の電源回路３０が設けられている。
【００１７】
第１の電源回路１０、第２の電源回路２０および第３の電源回路３０には、電源装置（図示せず。）から配線５０を介して電圧ＶＲＥＦが供給される。
【００１８】
第１の電源回路１０は、データドライバ回路８に電圧ＶＳを出力するための電源回路である。第１の電源回路１０は、オペアンプ１１と、抵抗１２と、抵抗１３とを含む非反転増幅回路と、オペアンプ１４と、セレクタ１５とを備える。セレクタ１５は、電圧を選択可能なスイッチである。セレクタ１５は、電圧ＶＲＥＦを分圧した複数の電圧から選択した電圧ＶＲＥＦ１を出力する。セレクタ１５に設けられた出力端子は、オペアンプ１１の非反転入力端子に接続される。
【００１９】
抵抗１２は、オペアンプ１１の反転入力端子と接地電位との間に接続され、抵抗１３はオペアンプ１１の出力端子と反転入力端子との間に接続される。オペアンプ１１の非反転入力端子には、電圧ＶＲＥＦ１が入力され、出力端子からは電圧ＶＳが出力される。オペアンプ１４は、ボルテージフォロア接続されて、電圧ＶＳを入力され、データドライバ回路５０に電圧ＶＳを出力する。
【００２０】
第２の電源回路２０は、コモン電極３に電圧ＶＣＯＭＨを出力するための電源回路である。第２の電源回路２０は、電圧ＶＣＯＭＨを出力する非反転増幅回路を含む。電圧ＶＣＯＭＨを出力する非反転増幅回路は、オペアンプ２１と、抵抗２２と、抵抗２３とを含む。抵抗２２は、オペアンプ２１の反転入力端子と接地電位の間に接続され、抵抗２３はオペアンプ２１の出力端子と反転入力端子の間に接続される。オペアンプ２１の非反転入力端子には、電圧ＶＲＥＦが入力され、出力端子から電圧ＶＣＯＭＨが出力される。
【００２１】
第３の電源回路３０は、コモン電極３に電圧ＶＣＯＭＬを出力するための電源回路である。第３の電源回路３０は、電圧ＶＣＯＭＬを出力する反転増幅回路を含む。電圧ＶＣＯＭＬを出力する反転増幅回路は、オペアンプ３１と、抵抗３２と、抵抗３３とを含む。抵抗３２の一端は、電位がＶＲＥＦに設定された配線５０に接続され、他の一端はオペアンプ３１の反転入力端子に接続される。抵抗３３は、オペアンプ３１の出力端子と反転入力端子との間に接続される。オペアンプ３１の出力端子から電圧ＶＣＯＭＬが出力される。
【００２２】
第２の電源回路２０によって出力された電圧ＶＣＯＭＨと第３の電源回路３０によって出力された電圧ＶＣＯＭＬとは、コモン電極３の極性を反転させるためのスイッチ４０により、反転周期に応じて選択され、コモン電極３に出力される。例えば、コモン電極用のドライバ回路が、コントローラから入力される極性指示信号に応じてスイッチ４０を設定し、コモン電極３の電位を設定する。極性指示信号とは、正極性駆動と負極性駆動のいずれを行うのかを示す信号である。
【００２３】
基準電圧ＶＲＥＦは、温度が上がるにしたがって高くなることがある。この場合、温度が変化しても基準電圧ＶＲＥＦの値が変化しないように設定することは困難である。また、基準電圧ＶＲＥＦを入力して電圧ＶＳ，ＶＣＯＭＨおよびＶＣＯＭＬを出力する場合、基準電圧ＶＲＥＦが変化すると、各電圧の絶対値も比例して変化する。そのため、各電圧ＶＳ，ＶＣＯＭＨおよびＶＣＯＭＬの絶対値も、基準電圧ＶＲＥＦが高くなるにしたがって大きくなる。
【００２４】
液晶に印加される電圧は、画素電極２の電圧とコモン電極３の電圧との差であって、各電圧ＶＳ，ＶＣＯＭＨ，ＶＣＯＭＬおよびＶＳ−ＶＣＯＭＣの値に基づいて定まる。基準電圧ＶＲＥＦが温度変化に伴って変化すると、液晶に印加される電圧、すなわち、画素電極２の電圧とコモン電極３の電圧との差が変化することから、振り筋などの現象により画質が低下する。
【００２５】
液晶に印加される電圧についての説明を簡単にするために、（ＶＣＯＭＨ＋ＶＣＯＭＬ）／２の値をＶＣＯＭＣとし、電圧ＶＳと電圧ＶＣＯＭＣとの差分に基づいて液晶に印加される電圧が決定されるとする。
【００２６】
図６は、一般的な液晶表示装置用電源回路における温度変化に伴う電圧の変化の一例を示す説明図である。図６に示すグラフは、温度が変化した場合における電圧ＶＲＥＦ，ＶＳ，ＶＣＯＭＨ，ＶＣＯＭＬおよびＶＣＯＭＣの値の変化を示す。図６では、室温２０度で、基準電圧ＶＲＥＦを３．５Ｖ、ソース電圧ＶＳを４．０Ｖ、電圧ＶＣＯＭＨを５．０Ｖ、電圧ＶＣＯＭＬを−２．０Ｖに設定した場合を例示する。ここで、温度が１度上がると基準電圧ＶＲＥＦの値が３ｍＶ上がり、１度下がると基準電圧ＶＲＥＦの値が３ｍＶ下がると仮定すると、図６に示すように、−３０度から７０度までの間に、電圧ＶＲＥＦは３．３５Ｖから３．６５Ｖまで変化し、電圧ＶＳは３．８３Ｖから４．１７Ｖまで変化し、電圧ＶＣＯＭＨは４．７９Ｖから５．２１Ｖまで変化し、電圧ＶＣＯＭＬは−１．９１Ｖから−２．０９Ｖまで変化する。また、電圧ＶＣＯＭＣは１．４４Ｖから１．５６Ｖまで変化する。
【００２７】
図６を参照すると、温度が−３０度から７０度まで変化する際、電圧ＶＳと電圧ＶＣＯＭＣとの差は、２．３９Ｖから２．６１Ｖまで約０．２Ｖ変化する。すなわち、液晶に印加される電圧が変化することから、振り筋などの現象により画質が低下するという問題がある。
【００２８】
そこで、本発明は、温度変化による画質の低下を防ぐことができる液晶表示装置用電源回路を提供することを目的とする。
【課題を解決するための手段】
【００２９】
本発明による態様１は、液晶表示パネルに駆動電圧を供給する液晶表示装置用電源回路であって、基準電圧にもとづいて駆動電圧を生成する駆動電圧生成部と、温度補償した基準電圧を駆動電圧生成部に供給する基準電圧補償部とを備えたことを特徴とする液晶表示装置用電源回路を提供する。
【００３０】
本発明による態様２は、第１駆動電圧（例えば、ソース電圧）が供給される第１電極と第２駆動電圧（例えば、コモン電圧）が供給される第２電極との間に液晶を挟持される液晶表示装置に適用される液晶表示装置用電源回路であって、駆動電圧生成部は、第１駆動電圧を生成する増幅器を含み、基準電圧補償部は、第２駆動電圧の温度特性に応じた温度特性を有する基準電圧を出力する温度補償抵抗回路を含む液晶表示装置用電源回路を提供する。態様２によれば、温度が変化する場合であっても、液晶に印加する電圧を等しくすることができる。
【発明の効果】
【００３１】
本発明によれば、温度が変化しても液晶に印加される電圧が一定となることから、温度変化による画質の低下を防ぐことができる。
【発明を実施するための最良の形態】
【００３２】
以下、本発明の実施の形態を図面を参照して説明する。図１は、本発明による液晶表示装置用電源回路を、液晶表示装置（液晶表示パネル）と、液晶表示装置を駆動する駆動回路とともに示すブロック図である。液晶表示装置には、画素毎に、スイッチング素子１と画素電極２が設けられる。本実施の形態では、スイッチング素子１がＴＦＴである場合を例にして説明する。画素はマトリクス状に配置されるので、ＴＦＴ１と画素電極２との組み合わせは、マトリクス状に複数設けられるが、図１ではＴＦＴ１および画素電極２を１２個だけ示し、他は図示を省略した。
【００３３】
液晶表示装置には、各画素電極２と対向するコモン電極３が設けられる。なお、コモン電極３および各画素電極２は、透明電極である。コモン電極３と各画素電極２とによって液晶層４が挟持される。画素電極２には、寄生容量を緩和するための補助容量５が設けられ、液晶層４と並列に接続される。
【００３４】
また、液晶表示装置を駆動する駆動回路として、液晶表示装置における同行のＴＦＴ１のゲート１ａに接続される走査電極としての各ゲート電極（ゲート配線）７が繋がれたゲートドライバ回路６、液晶表示装置における同列のＴＦＴ１のソース１ｃに接続されるデータ電極としての各ソース電極（ソース配線）９が繋がれたデータドライバ回路８が設けられている。
【００３５】
ＴＦＴ１のゲート１ａは、ゲート配線７に接続される。ゲート配線７は、マトリクス状に配置された画素電極２の各行毎に設けられる。そして、１行におけるそれぞれのＴＦＴ１の各ゲート１ａは、その行のゲート配線７に接続される。また、各行毎に設けられる複数のゲート配線７は、それぞれ後述するゲートドライバ回路６に接続される。
【００３６】
ＴＦＴ１のソース１ｃは、ソース配線９に接続される。ソース配線９は、マトリクス状に配置された画素電極２の各列毎に設けられる。そして、１列におけるそれぞれのＴＦＴ１の各ソース１ｃは、その列のソース配線９に接続される。また、各列毎に設けられる複数のソース配線９は、それぞれ後述するデータドライバ回路８に接続される。
【００３７】
ＴＦＴ１のドレイン１ｂは、画素電極２に接続される。選択行のゲート配線７の電位が所定のオン電位に設定されると、ソース１ｃとドレイン１ｂとの間が導通状態になり、画素電極２は、ソース配線９と等電位になる。また、選択行における各画素に対応する各ソース配線９は、選択行における各画素の画像データおよび極性に応じた電圧に設定されるので、選択行の各画素電極２もその画素の画像データおよび極性に応じた電圧になる。また、コモン電極３も極性に応じて所定の電位（ＶＣＯＭＬまたはＶＣＯＭＨ）に設定される。この結果、選択行の各画素において、画素電極２とコモン電極３とに挟持された液晶層４は、画像データに応じた電圧が印加され、画像データに応じた透過率を呈する。また、ゲート配線７の電位が所定のオン電位から所定のオフ電位に切り替えられると、ソース１ｃとドレイン１ｂとの間が非導通状態になる（すなわち、ソース配線９と画素電極２との間が非導通状態になる）。
【００３８】
ゲートドライバ回路６は、複数のゲート配線７を介して液晶表示装置に接続される。各ゲート配線７は行毎に、１行におけるそれぞれのＴＦＴ１のゲート１ａに接続される。
【００３９】
ゲートドライバ回路６は、ゲート配線７を順次選択することによりゲート配線７を走査する。ゲートドライバ回路６は、選択したゲート配線７を介して選択行のＴＦＴ１のゲート１ａを所定のオン電位に設定し、選択行の画素電極２とソース配線９との間を導通状態にする。そして、画素電極の電位がソース配線９と等電位となった後、その各ゲート１ａの電位を所定のオフ電位に切り替え、選択行の画素電極２とソース配線９との間を非導通状態にする。また、非選択行のＴＦＴ１のゲートを所定のオフ電位に設定し、非選択行の画素電極２とソース配線９との間を非導通状態にする。
【００４０】
なお、コモン電極３の電位を設定するコモン電極用のドライバ回路を、ゲートドライバ回路６とは別に備えてもよい。コモン電極用のドライバ回路は、コモン電極３に接続され、コントローラ（図示せず。）から入力される極性指示信号に応じて、コモン電極３の電位を設定する。また、ゲートドライバ回路６が、コモン電極３にも接続され、コモン電極３の電位を設定してもよい。
【００４１】
データドライバ回路８は、複数のソース配線９を介して液晶表示装置に接続される。各ソース配線９は列毎に、１列におけるそれぞれのＴＦＴ１のソース１ｃに接続される。データドライバ回路８は、選択行の各画素に対応する画像データおよび極性に応じて、各ソース配線９の電位を設定する。選択行の各ゲートの電位が所定のオン電位に設定されていることにより、選択行の各画素電極２の電位は接続しているソース配線９と等電位になる。
【００４２】
次に、本発明による液晶表示装置用電源回路の構成について説明する。図１に示す例では、本発明による液晶表示装置用電源回路として、ソース電圧ＶＳ２を生成するための電圧をデータドライバ回路８に供給する第１の電源回路１００、コモン電極３に電圧ＶＣＯＭＨを供給する第２の電源回路２０およびコモン電極３に電圧ＶＣＯＭＬを供給する第３の電源回路３０が設けられている。
【００４３】
第１の電源回路１００、第２の電源回路２０および第３の電源回路３０には、電源装置（図示せず。）から配線５０を介して電圧ＶＲＥＦが供給される。
【００４４】
第１の電源回路１００は、データドライバ回路８に電圧ＶＳ２を出力するための電源回路である。第１の電源回路１００は、オペアンプ１１と、抵抗１２と、抵抗１３とを含む非反転増幅回路と、オペアンプ１４と、セレクタ１５とを備える。また、第１の電源回路１００は、供給される電圧ＶＲＥＦを電圧ＶＲＥＦ２に変換するための抵抗１０１と、抵抗１０２と、サーミスタ１０３とを備える。
【００４５】
図１に示す例では、抵抗１０１の一端は配線５０に接続され、別の抵抗１０２の一端は接地電位に接続される。第１の電源回路１００では、抵抗１０１、サーミスタ１０３、セレクタ１５および抵抗１０２によって、電源装置の出力電圧である電圧ＶＲＥＦが分圧される。
【００４６】
抵抗１０１，１０２は可変抵抗であって、セレクタ１５は電圧を選択可能なスイッチである。また、サーミスタ１０３は、温度特性を有する素子であって、温度の変化に伴って電気抵抗が変化する。抵抗１０１，１０２およびセレクタ１５が適宜設定されると、セレクタ１５は、電圧ＶＲＥＦ２を出力する。すなわち、抵抗１０１、サーミスタ１０３、セレクタ１５および抵抗１０２を適宜選択設定することにより、電源装置の出力電圧ＶＲＥＦと異なる温度特性を有する電圧ＶＲＥＦ２を得ることができる。
【００４７】
なお、出力端子の電圧をＶＲＥＦ２に設定可能であれば、セレクタ１５はなくてもよい。その場合、出力端子は、サーミスタ１０３と抵抗１０２との間に設けられる。また、サーミスタ１０３の代わりに、電圧ＶＲＥＦと異なる温度特性を有する電圧ＶＲＥＦ２を得ることができるような素子を用いてもよい。
【００４８】
抵抗１２は、オペアンプ１１の反転入力端子と接地電位との間に接続され、抵抗１３はオペアンプ１１の出力端子と反転入力端子との間に接続される。オペアンプ１１の非反転入力端子には、電圧ＶＲＥＦ２が入力され、出力端子からは電圧ＶＳ２が出力される。オペアンプ１４は、ボルテージフォロア接続されて、電圧ＶＳ２を入力され、データドライバ回路５０に電圧ＶＳ２を出力する。電圧ＶＳ２はオペアンプ１４の出力電圧の最大値である。電圧ＶＳ２の温度変化に対する変化の割合は、第２の電源回路２０が出力する電圧ＶＣＯＭＨと第３の電源回路３０が出力する電圧ＶＣＯＭＬとの平均値である電圧ＶＣＯＭＣの温度変化に対する変化の割合と等しい。
【００４９】
第２の電源回路２０は、コモン電極３に電圧ＶＣＯＭＨを出力するための電源回路である。第２の電源回路２０は、電圧ＶＣＯＭＨを出力する非反転増幅回路を含む。電圧ＶＣＯＭＨを出力する非反転増幅回路は、オペアンプ２１と、抵抗２２と、抵抗２３とを含む。抵抗２２は、オペアンプ２１の反転入力端子と接地電位との間に接続され、抵抗２３はオペアンプ２１の出力端子と反転入力端子との間に接続される。オペアンプ２１の非反転入力端子には、電圧ＶＲＥＦが入力され、出力端子から電圧ＶＣＯＭＨが出力される。
【００５０】
第３の電源回路３０は、コモン電極３に電圧ＶＣＯＭＬを出力するための電源回路である。第３の電源回路３０は、電圧ＶＣＯＭＬを出力する反転増幅回路を含む。電圧ＶＣＯＭＬを出力する反転増幅回路は、オペアンプ３１と、抵抗３２と、抵抗３３とを含む。抵抗３２の一端は、電圧がＶＲＥＦに設定された配線５０に接続され、他の一端はオペアンプ３１の反転入力端子に接続される。抵抗３３は、オペアンプ３１の出力端子と反転入力端子との間に接続される。オペアンプ３１の出力端子から電圧ＶＣＯＭＬが出力される。
【００５１】
第２の電源回路２０によって出力された電圧ＶＣＯＭＨと第３の電源回路３０によって出力された電圧ＶＣＯＭＬとは、コモン電極３の極性を反転させるためのスイッチ４０により、反転周期に応じて選択され、コモン電極３に出力される。例えば、コモン電極用のドライバ回路が、コントローラから入力される極性指示信号に応じてスイッチ４０を設定し、コモン電極３の電位を設定する。
【００５２】
なお、上記の実施の形態において、各抵抗１２，１３，２２，２３，３２，３３は可変抵抗であってもよい。
【００５３】
図２は、本発明による液晶表示装置用電源回路における温度変化に伴う電圧の変化の一例を示す説明図である。図２では、本発明による液晶表示装置用電源回路における温度変化に伴う電圧ＶＲＥＦ２，ＶＳ２およびＶＣＯＭＣの変化を実線で表し、一般的な液晶表示装置用電源回路における温度変化に伴う電圧ＶＲＥＦおよびＶＳの変化（図６参照）を破線で表している。また、電圧ＶＳ２と電圧ＶＣＯＭＣとの差分の変化を、実線で表している。図６に例示する場合と同様に、図２では、室温２０度で、基準電圧ＶＲＥＦを３．５Ｖ、ソース電圧ＶＳを４．０Ｖ、電圧ＶＣＯＭＨを５．０Ｖ、電圧ＶＣＯＭＬを−２．０Ｖに設定した場合を例示する。図２に示すように、−３０度、２０度および７０度の場合に、電圧ＶＲＥＦ２はそれぞれ２．９４Ｖ，３．０１Ｖおよび３．０４Ｖの値を取り、電圧ＶＳ２はそれぞれ３．９３Ｖ，４．０１Ｖおよび４．０６Ｖの値を取る。また、電圧ＶＳ２と電圧ＶＣＯＭＣとの差分は、２．４９Ｖ，２．５１Ｖおよび２．５０Ｖの値を取り、ほぼ一定となる。
【００５４】
図２に示すように、本発明による液晶表示装置用電源回路においては、電圧ＶＲＥＦと比較して、第１の電源回路１００に入力される電圧ＶＲＥＦ２の変化の割合（グラフの傾き）は小さくなる。これに伴い、第１の電源回路１００によって出力される電圧ＶＳ２の傾きは、電圧ＶＳの傾きと比べて小さくなる。この場合、温度の上昇に対し、電圧ＶＳ２および電圧ＶＣＯＭＣの傾きが等しくなる。すなわち、電圧ＶＳ２と電圧ＶＣＯＭＣとの差が一定となることから、液晶に印加される電圧が一定となる。
【００５５】
具体的には、電圧ＶＣＯＭＣと傾きが等しい電圧ＶＳ２を得ることができるような電圧ＶＲＥＦ２を出力させるために、抵抗１０１、サーミスタ１０３、セレクタ１５および抵抗１０２を適宜選択設定する。
【００５６】
以上に説明したように、本実施の形態によれば、温度が変化する場合であっても、液晶に印加する電圧を等しくすることができることから、温度変化による画質の低下を防ぐことができる。
【産業上の利用可能性】
【００５７】
本発明は、液晶表示装置用電源回路に適用可能であり、特に、温度変化による画質の低下を防ぐことが要求される液晶表示装置に適用される液晶表示装置用電源回路に効果的に適用できる。
【図面の簡単な説明】
【００５８】
【図１】本発明による液晶表示装置用電源回路を、液晶表示装置（液晶表示パネル）と、液晶表示装置を駆動する駆動回路とともに示すブロック図。
【図２】本発明による液晶表示装置用電源回路における温度変化に伴う電圧の変化の一例を示す説明図。
【図３】オペアンプの構成例を示す説明図。
【図４】オペアンプの構成例を示す説明図。
【図５】一般的な液晶表示装置用電源回路を、液晶表示装置（液晶表示パネル）と、液晶表示装置を駆動する駆動回路とともに示すブロック図。
【図６】一般的な液晶表示装置用電源回路における温度変化に伴う電圧の変化の一例を示す説明図。
【符号の説明】
【００５９】
１      ＴＦＴ
１ａ    ゲート
１ｂ    ドレイン
１ｃ    ソース
２      画素電極
３      コモン電極
４      液晶層
５      容量
６      ゲートドライバ回路
７      ゲート配線
８      データドライバ回路
９      ソース配線
１００  第１の電源回路
１１    オペアンプ
１２    抵抗
１３    抵抗
１４    オペアンプ
１５    セレクタ
２０    第２の電源回路
２１    オペアンプ
２２    抵抗
２３    抵抗
３０    第３の電源回路
３１    オペアンプ
３２    抵抗
３３    抵抗
４０    配線
１０１  抵抗
１０２  抵抗
１０３  サーミスタ
【図１】
2007232981.tif 000003
【図２】
2007232981.tif 000004
【図３】
2007232981.tif 000005
【図４】
2007232981.tif 000006
【図５】
2007232981.tif 000007
【図６】
2007232981.tif 000008